(57)【要約】【課題】処理能力の高い制御部を使用しないで、楽曲を再生中に楽曲情報を得ることができる音声再生装置を提供する。【解決手段】圧縮楽曲ファイル６０２を再生中（ｓ７１）に情報ボタン１０２ｅが押し下げされたとき（ｓ７２；Ｙｅｓ）、制御部２０４は、管理情報ファイル６０１から圧縮楽曲ファイル６０２に関連した楽曲情報音声ファイル６０３を再生する（ｓ７３）。楽曲情報音声ファイル６０３が、再生されたのち、楽曲再生が終わりか否かを確認し、終わりならば（ｓ７３；Ｙｅｓ）、動作を終了する。【選択図】図７
2010044418.tif 000002
【特許請求の範囲】
【請求項１】
接続された情報処理装置から、楽曲ファイルと前記楽曲ファイルに関連した情報が音声化された音声ファイルとを受信する受信部と、
前記受信部により受信された前記楽曲ファイル及び前記音声ファイルを記憶する記憶部と、
前記記憶部が記憶する前記楽曲ファイル及び前記音声ファイルを再生する再生部と、
前記再生部により再生された前記楽曲ファイル及び前記音声ファイルの再生信号を出力する音声出力部と、
を有し、
前記再生部は、前記楽曲ファイルを再生中に前記音声ファイルの再生指示があったとき、前記楽曲ファイルの再生を継続するとともに、前記楽曲ファイルに対応する前記音声ファイルを再生することを特徴とする音声再生装置。
【請求項２】
前記音声ファイルは、楽曲名、アルバムタイトル、アーティスト名のうち少なくとも１つを含む請求項１に記載の音声再生装置。
【発明の詳細な説明】
【技術分野】
【０００１】
本発明は、楽曲ファイルに関連した曲名、アーティスト名等の楽曲情報を外部で音声化情報に変換し、変換した音声化情報を再生することで、楽曲情報をユーザに知らせる音声再生装置に関する。
【背景技術】
【０００２】
従来の技術として、例えば音声再生装置の内部で楽曲情報を音声化し、その楽曲情報を楽曲がはじまる前にユーザに音声として知らせるという音声再生装置がある（例えば、特許文献１）。
【０００３】
この音声再生装置によると、自分の聞きたい楽曲を録音したときに、楽曲に付随する楽曲のタイトルやアーティスト名などの付随情報を、音声再生装置の内部で音声化し、楽曲が再生されるときに、楽曲の先頭に音声化した付随情報を再生することで、表示部を見なくても、付随情報を知ることが可能になる。
【先行技術文献】
【特許文献】
【０００４】
【特許文献１】特開２００１−２１００６５号公報
【発明の概要】
【発明が解決しようとする課題】
【０００５】
しかし、従来の音声再生装置では、楽曲情報の再生は、楽曲の再生のまえに行われ、ユーザが任意の時間に楽曲情報を知ることはできない。また、音声再生装置の内部で音声化するため、処理能力の高い制御部を使わなくてはならず、コストが上がる原因になってしまう。
【０００６】
従って、本発明の目的は、処理能力の高い制御部を使用しないで、楽曲を再生中に楽曲情報を得ることができる音声再生装置を提供することにある。
【課題を解決するための手段】
【０００７】
本発明の一態様は、接続された情報処理装置から、楽曲ファイルと前記楽曲ファイルに関連した情報が音声化された音声ファイルとを受信する受信部と、前記受信部により受信された前記楽曲ファイル及び前記音声ファイルを記憶する記憶部と、前記記憶部が記憶する前記楽曲ファイル及び前記音声ファイルを再生する再生部と、前記再生部により再生された前記楽曲ファイル及び前記音声ファイルの再生信号を出力する音声出力部と、を有し、前記再生部は、前記楽曲ファイルを再生中に前記音声ファイルの再生指示があったとき、前記楽曲ファイルの再生を継続するとともに、前記楽曲ファイルに対応する前記音声ファイルを再生することを特徴とする音声再生装置を提供する。
【０００８】
この構成によれば、音声再生装置の内部で、楽曲ファイルに関連した情報を音声化する必要がなく、処理能力の高い制御部を使用しないで、音声再生装置を作ることができる。
【発明の効果】
【０００９】
本発明によれば、処理能力の高い制御部を使用しないで、楽曲を再生中に楽曲情報を得ることができる。
【図面の簡単な説明】
【００１０】
【図１】（ａ）は、本発明の実施の形態に関する音声再生装置の正面からの概略図である。（ｂ）は、本発明の実施の形態に関する音声再生装置の側面からの概略図である。
【図２】本発明の実施の形態に関する音声再生装置の概略構成図である。
【図３】本発明の実施の形態に関する音声再生装置のソフトウェアの構成概略図である。
【図４】本発明の実施の形態に関するＰＣを用た楽曲ファイルの生成についてのフローチャートである。
【図５】本発明の実施の形態に関する音声再生装置での楽曲情報の登録処理についてのフローチャートである。
【図６】本発明の実施の形態に関する管理情報ファイルの概略構成図である。
【図７】本発明の実施の形態に関する音声再生装置での楽曲情報音声ファイルの再生処理についてのフローチャートである。
【図８】本発明の実施の形態に関する音声再生装置での再生停止時の楽曲情報音声ファイルの再生処理についてのフローチャートである。
【図９】本発明の実施の形態に関する音声再生装置での再生時の楽曲情報音声ファイルの再生処理についてのフローチャートである。
【発明を実施するための形態】
【００１１】
以下に、本発明の音声再生装置の実施の形態を図面を参考にして詳細に説明する。
【００１２】
[実施の形態]
（音声再生装置の構成）
図１（ａ）は、本発明の実施の形態に関する音声再生装置の正面からの概略図である。
【００１３】
音声再生装置１０は、内部に制御部などの電子部品を有する本体１００と、楽曲の楽曲名やアーティスト名等を表示する表示部１０１と、再生や音量の調整などに使われる入力ボタン群１０２とを有する。
【００１４】
入力ボタン群１０２は、楽曲を早送りをする早送りボタン１０２ａと、楽曲の再生または一時停止をする再生・一時停止ボタン１０２ｂと、楽曲の巻き戻しをする巻き戻しボタン１０２ｃと、楽曲の音量を調整する音量調節ボタン１０２ｄと、楽曲情報音声ファイル６０３を再生する情報ボタン１０２ｅとを有する。
【００１５】
図１（ｂ）は、本発明の実施の形態に関する音声再生装置の側面からの概略図である。
【００１６】
音声再生装置１０は、側面に、再生信号を外部に送信することができる音声出力部１０３と、ＰＣ（Ｐｅｒｓｏｎａｌ  Ｃｏｍｐｕｔｅｒ）３０などとの外部の機器と通信する通信部としての外部入出力部１０４とを有する。
【００１７】
図２は、本発明の実施の形態に関する音声再生装置の概略構成図である。
【００１８】
入力ボタン群１０２の操作によって操作信号を出力する操作信号発生部１０５と、ＰＣ３０と圧縮楽曲ファイル６０２等のやりとりをする外部入出力部１０４と、外部の機器との通信で得た圧縮楽曲ファイル６０２等を記憶する第１記憶部２００と、ソフトウェア２０等を記憶する第２記憶部２０１と、制御部２０４の作業状況等を一時的に記憶する第３記憶部２０２と、デジタルからアナログに変換して出力するＤ／Ａ変換部２０３と、楽曲の再生などを統括的に管理する制御部２０４と、圧縮楽曲ファイル６０２等を再生して再生信号を出力する再生部２０５と、再生信号を外部に送信することができる音声出力部１０３と、楽曲の楽曲名やアーティスト名等を表示する表示部１０１とを有する。
【００１９】
（ソフトウェアの構成）
図３は、本発明の実施の形態に関する音声再生装置のソフトウェアの構成概略図である。
【００２０】
ソフトウェア２０は、アプリケーション群３０００と、オペレーティングシステム３０１と、ドライバ群３００１とからなり、各ドライバ３０２〜３０９に対応したハードウェアとしてのデバイス群２０００が接続されている。ソフトウェア２０は、第２記憶部２０１に保存されており、制御部２０４により処理され動作する。
【００２１】
アプリケーション群３０００は、再生等を制御するモード制御３００Ａと、各種メニュー項目を処理するメニュー処理３００Ｂと、圧縮楽曲ファイル６０２の伸長処理等を行う再生処理３００Ｃとを有する。
【００２２】
オペレーティングシステム３０１は、アプリケーション群３０００とドライバ群３００１を統括的に管理する。
【００２３】
ドライバ群３００１は、外部入出力部１０４を管理する通信ドライバ３０２と、第１、第２、及び第３の記憶部２００〜２０２を管理するメディアドライバ３０３と、Ｄ／Ａ変換部２０３を管理するＤ／Ａドライバ３０４と、楽曲の楽曲名やアーティスト名等を表示する表示部１０１を管理する表示ドライバ３０５と、操作信号発生部１０５を管理する入力ドライバ３０６と、音声出力部１０３を管理する音声出力ドライバ３０７と、制御部２０４を管理する制御ドライバ３０８と、再生部２０５を管理する再生ドライバ３０９とを有する。
【００２４】
（動作）
以下に、本発明の実施の形態における音声再生装置の動作を図１から図９を参照しつつ説明する。
【００２５】
図４は、本発明の実施の形態における、ＰＣを利用した、圧縮楽曲ファイルの作成過程のフローチャートである。
【００２６】
ユーザが、音声再生装置１０に取り込みたい、ＣＤ等の楽曲ファイルを、ＰＣ３０で圧縮楽曲ファイル６０２として作成する（ｓ４１）。取り込んだ圧縮楽曲ファイル６０２に関連した、テキスト化された付随情報としての楽曲情報を、インターネット上のデータベースから取得する（ｓ４２）。圧縮楽曲ファイル６０２と関連付けたテキスト化された楽曲情報を、ＰＣ３０に備わっている音声合成機能を使って音声化し、楽曲情報音声ファイル６０３を作成する（ｓ４３）。作成した楽曲情報音声ファイル６０３と圧縮楽曲ファイル６０２をＰＣ３０から音声再生装置１０へと転送し処理を終了する（ｓ４４）。
【００２７】
図５は、本発明の実施の形態に関する音声再生装置での楽曲情報音声ファイルの登録処理についてのフローチャートである。図６の管理情報ファイルの概略構造図を参照しながら説明する。
【００２８】
ＰＣ３０で作成した、圧縮楽曲ファイル６０２、楽曲情報音声ファイル６０３及び楽曲情報を、音声再生装置に転送する（ｓ５１）。転送された楽曲情報の曲名やアーティスト名等を圧縮楽曲ファイル６０２と関連付けて、管理情報ファイル６０１に追加し動作を終了する（ｓ５２）。このことによって、図６のように、圧縮楽曲ファイル６０２に関連付けて、管理情報ファイル６０１が整理される。
【００２９】
図７は、本発明の実施の形態に関する音声再生装置での楽曲情報音声ファイルの再生処理についてのフローチャートである。
【００３０】
圧縮楽曲ファイル６０２を再生中（ｓ７１）に情報ボタン１０２ｅが押し下げされたとき（ｓ７２；Ｙｅｓ）、制御部２０４は、管理情報ファイル６０１から圧縮楽曲ファイル６０２に関連した楽曲情報音声ファイル６０３を再生する（ｓ７３）。
【００３１】
ここで、ステップｓ７２において、情報ボタン１０２ｅが押し下げられなかったら（ｓ７２；Ｎｏ）、ステップｓ７４に処理を進める。
【００３２】
楽曲情報音声ファイル６０３が、再生されたのち、楽曲再生が終わりか否かを確認し、終わりならば（ｓ７４；Ｙｅｓ）、動作を終了する。
【００３３】
ここで、ステップｓ７４において、楽曲再生がおわらないとき（ｓ７４；Ｎｏ）、ステップｓ７２に戻って、処理を続ける。
【００３４】
図８は、本発明の実施の形態に関する音声再生装置での再生停止時の楽曲情報音声ファイルの再生処理についてのフローチャートである。
【００３５】
再生を停止中に（ｓ８１）情報ボタン１０２ｅが押し下げされたとき（ｓ８２；Ｙｅｓ）、制御部２０４は、管理情報ファイル６０１から圧縮楽曲ファイル６０２に関連した楽曲情報音声ファイル６０３を再生し処理を終了する（ｓ８３）。
【００３６】
ここで、ステップｓ８２において、情報ボタン１０２ｅが押し下げられなかったら（ｓ８２；Ｎｏ）、ステップｓ８１に戻る。
【００３７】
図９は、本発明の実施の形態に関する音声再生装置での楽曲情報音声ファイルの再生処理についてのフローチャートである。
【００３８】
ユーザが、情報ボタン１０２ｅを押し下げしたとき、制御部２０４は、管理情報ファイル６０１から、現在再生中の圧縮楽曲ファイル６０２と関連した楽曲情報音声ファイル６０３を検索する（ｓ９１）。検索が終了したなら、圧縮楽曲ファイル６０２の再生を一時停止する（ｓ９２）。一時停止されたのち、検索した楽曲情報音声ファイル６０３を再生する（ｓ９３）。楽曲情報音声ファイル６０３の再生が終了したら、圧縮楽曲ファイル６０２の再生を再開する（ｓ９４）。
【００３９】
（実施の形態の効果）
上記した実施の形態によると、ユーザが、音声再生装置１０の表示部１０１を見ることができない状況下にあっても、希望する任意の時間に、求める情報を得ることができる。
【符号の説明】
【００４０】
１０…音声再生装置、２０…ソフトウェア、３０…パーソナルコンピュータ、１００…本体、１０１…表示部、１０２…入力ボタン群、１０２ａ…早送りボタン、１０２ｂ…再生・一時停止ボタン、１０２ｃ…巻き戻しボタン、１０２ｄ…音量調整ボタン、１０２ｅ…情報ボタン、１０３…音声出力部、１０４…外部入出力部、１０５…操作信号発生部、２００…第１記憶部、２０１…第２記憶部、２０２…第３記憶部、２０３…Ｄ／Ａ変換部、２０４…制御部、３００Ａ…モード制御、３００Ｂ…メニュー処理、３００Ｃ…再生処理、３０１…オペレーティングシステム、３０２…通信ドライバ、３０３…メディアドライバ、３０４…Ｄ／Ａドライバ、３０５…表示ドライバ、３０６…入力ドライバ、３０７…音声出力ドライバ、３０８…制御ドライバ、３０９…再生ドライバ、６０１…管理情報ファイル、６０２…圧縮楽曲ファイル、６０３…楽曲情報音声ファイル、２０００…デバイス群、３０００…アプリケーション群、３００１…ドライバ群
【図１】
2010044418.tif 000003
【図２】
2010044418.tif 000004
【図３】
2010044418.tif 000005
【図４】
2010044418.tif 000006
【図５】
2010044418.tif 000007
【図６】
2010044418.tif 000008
【図７】
2010044418.tif 000009
【図８】
2010044418.tif 000010
【図９】
2010044418.tif 000011